(57)【要約】【課題】モノクロ印刷頻度が多い場合であってもカラーインクの増粘を抑えることで、カラーインクの消費を抑制し、かつ印刷前の維持回復動作が短時間となる画像形成装置を提供する。【解決手段】インクを吐出する複数色の複数ノズル４１０と、該複数のノズル４１０を覆い、内部に吸収体４０１，４０５を備えたキャップ部材８２とを有し、印刷待機中は該キャップ部材８２がノズル４１０を覆う画像形成装置であり、キャップ部材８２がブックのノズル４１０Ｋを覆うキャップ４０８とカラーノズルを覆うキャップ４０９とを有し、モノクロ印刷中に定期的にブラックインクをブラックのキャップ４０８とカラーのキャップ４０９に打ち分けた空吐出を実施する。【選択図】図１０
2015089640.tif 000002
【特許請求の範囲】
【請求項１】
液滴を吐出する複数色の複数ノズルと、該複数のノズルを覆い、内部に吸収体を備えたキャップ部材とを有し、印刷待機中は該キャップ部材が前記ノズルを覆う画像形成装置において、
前記キャップ部材が第１の色のノズルを覆う第１のキャップ部材と該第１の色以外のノズルを覆う他のキャップ部材とを有し、
第１の色の印刷中に定期的に前記第１のキャップ部材と前記他のキャップ部材に打ち分けた空吐出を実施することを特徴とする画像形成装置。
【請求項２】
前記第１の色がブラックで、該第１の色以外の色がカラーであって、前記キャップ部材に打ち分けるノズルがブラックノズルであることを特徴とする請求項１に記載の画像形成装置。
【請求項３】
前記キャップ部材を有する維持回復機構を設け、該維持回復機構を用いる前記ノズルから液体を吸引する工程、メニスカス形成工程、及び空吐出工程を含む回復動作では、要求のあった色の前記ノズルから各々の前記キャップ部材が独立して液体を吸引し、続けて行う空吐出を吸引したキャップ部材とは別のキャップ部材に吐出することを特徴とする請求項１または２に記載の画像形成装置。
【請求項４】
前記キャップ部材が、ブラック色のみのノズルをキャップするキャップとカラー色のノズルのみをキャップするキャップを備えることを特徴とする請求項１ないし３の何れかに記載の画像形成装置。
【請求項５】
前記ブラック色のノズルがカラー色のノズルが記録ヘッドの主走査方向に並べて設けられ、前記維持回復機構に最も近い位置にブラックノズルが配置されていることを特徴とする請求項１ないし４の何れかに記載の画像形成装置。
【請求項６】
前記吸収体への液体吐出量をカウントする手段と、前記キャップ部材がノズルを覆わないデキャップ時間の累積をカウントする手段とを有し、前記キャップ部材で覆っていない累積時間に対する前記吐出量カウントが所定未満と判定された場合、該キャップ部材で当該ノズルを覆って液体の吸引をすることを特徴とする請求項１ないし５の何れかに記載の画像形成装置。
【請求項７】
前記液体を吸引する工程を含む回復動作実施後、前記液体吐出量のカウント及び前記デキャップ時間のカウントをリセットすることを特徴とする請求項１ないし６の何れかに記載のに記載の画像形成装置。
【請求項８】
液滴を吐出する複数色の複数ノズルと、該複数のノズルを覆い、内部に吸収体を備えたキャップ部材とを有し、印刷待機中は該キャップ部材が前記ノズルを覆う画像形成装置において、
前記キャップ部材が第１の色のノズルを覆う第１のキャップ部材と該第１の色以外のノズルを覆う他のキャップ部材とを有し、
該キャップ部材内にノズルから吐出する滴量を計測する手段を設け、
第１の色における計測した滴量のカウントが所定量以上のとき、前記第１の色以外のノズルをキャップするキャップ部材内に第１の色の空吐出を行うことを特徴とする画像形成装置。
【請求項９】
前記滴量を色毎にカウントし、色毎に前記所定量を設定することを特徴とする請求項８に記載の画像形成装置。
【請求項１０】
前記キャップ部材が前記ノズルと離間するデキャップ時間を計測する手段を有し、デキャップしている累積時間が長いほど、空吐出の吐出量を増やすことを特徴とする請求項８または９に記載の画像形成装置。
【請求項１１】
前記デキャップの累積時間は温湿度の環境毎に重み付けされた係数を乗じることを特徴とする請求項８ないし１０の何れかに記載の画像形成装置。
【発明の詳細な説明】
【技術分野】
【０００１】
本発明は、記録ヘッドを有する画像形成装置に関するものである。
【背景技術】
【０００２】
画像形成装置としてインクを吐出する記録ヘッド（以下、吐出ヘッドという。）を有するインクジェットプリンタは既に知られている。この種のインクジェットプリンタでは吐出ヘッドのノズルが乾燥により目詰まりすると画像品質を大幅に悪化させるため、印刷が終了するとノズルをキャップ手段で覆っている。さらに、印刷を開始する前にインクを排出して目詰まりの無い状態で印刷するように構成している。かかる構成では印刷前に毎回大量のインクを排出するのでランニングコストが高くなってしまう。さらに、モノクロ印刷時においても目詰まり防止のため、黒インクだけでなくカラーのインクも排出するため、モノクロ印刷がメインで使用している場合であっても消費の少ないカラーインクも消費してしまっていた。
【０００３】
かかる問題を改善する方法として、記録ヘッドをキャップ部材で覆っていない時間を計測し、その計測された時間に応じてモノクロ印刷時は黒のみ、カラー印刷時は全色空吐出するという技術が知られている。
【発明の概要】
【発明が解決しようとする課題】
【０００４】
しかしながら、上記技術のように、デキャップ時間に応じて印刷色のみ印刷前に回復動作を実施することを繰り返すと、場合によってはノズル内のインク増粘が極度に進んでしまう。したがって、増粘インクを排出するための回復動作で大量のインクを消費してり、回復動作の実施することで印刷物の出力が遅くなるという問題があった。
【０００５】
ところで、特許文献１には増粘しにくいインクを増粘しやすいインクをキャップするキャップ内に空吐出して増粘しやすいインクのキャップ内を湿潤状態にすることで、増粘を抑えることが記載されている。
【０００６】
しかし、モノクロ印刷頻度が多い場合、使われないカラーインクノズル内においてインク増粘が進み、増粘インクを排出する作業が必要になってしまう。増粘インクの排出する回復動作においては増粘の度合が進むほど大量のインクを消費してしまうことになり、また、その回復動作を実施することで印刷物の出力が遅くなるという問題の解消が十分に達成することができなかった。
【０００７】
本発明は上記した従来の問題を解消し、モノクロ印刷頻度が多い場合であってもカラーインクの増粘を抑えることで、カラーインクの消費を抑制し、かつ印刷前の維持回復動作が短時間となる画像形成装置を提供することを目的としている。
【課題を解決するための手段】
【０００８】
この目的を達成するため、本発明は、液滴を吐出する複数色の複数ノズルとを有し、印刷待機中は該キャップ部材が前記ノズルを覆う画像形成装置において、前記キャップ部材が第１の色のノズルを覆う第１のキャップ部材と該第１の色のノズル以外を覆う他のキャップ部材とを有し、第１の色の印刷中に定期的に前記第１のキャップ部材と前記他のキャップ部材に打ち分けた空吐出を実施することを特徴とする画像形成装置を提案する。
【発明の効果】
【０００９】
本発明によれば、モノクロ印刷頻度が高い場合に、ブラックとカラーで別のキャップ空間を備え、キャップ内に設けた吸収体がブラックノズルの吐出により湿潤し、待機時のカラーノズルの増粘を抑制し、カラー印刷時にも少ないインク消費及び所要時間の長い回復動作を行わずに印刷を行うことができる。
【図面の簡単な説明】
【００１０】
【図１】本発明に係る画像形成装置の一実施形態としてのインクジェット記録装置を示す斜視図である。
【図２】同インクジェット記録装置の機構部の概略を示す断面図である。
【図３】同インクジェット記録装置の機構部の要部を示す平面図である。
【図４】同インクジェット記録装置の維持回復機構を示す説明図である。
【図５】同インクジェット記録装置の制御部の概要を示すブロック図である。
【図６】記録ヘッドとキャップ部材を示す断面図で、（ａ）、（ｂ）は記録ヘッドが単数の場合、（ｃ）、（ｄ）は記録ヘッドが複数の場合である。
【図７】インク吸引を伴う回復動作の実施する色判断フローチャートである。
【図８】ブラッククリーニングにおけるインク吸引を伴う回復動作時の動作の流れを示すフローチャートである。
【図９】（ａ）、（ｃ）はブラックインクのブラックキャップ内の空吐出を示し、（ｃ）、（ｄ）はブラックインクのカラーキャップ内の空吐出を示す断面図である。
【図１０】自動でインク吸引を実施する制御を示すフローチャートである。
【図１１】ブラックインクの打ち分け制御を示すフローチャートである。
【図１２】ノズルの乾燥度合いに応じた空吐出時の動作のフローチャートである。
【図１３】（ａ）はブラックインクのブラックキャップ内の空吐出、（ｂ）はブラックインクのカラーキャップ内の空吐出、（ｃ）はカラーインクのカラーキャップ内の空吐出、（ｄ）はカラーインクのブラックキャップ内の空吐出を示す断面図である。
【図１４】デキャップ時間と印刷したときの着弾位置のズレとの関係を示すグラフである。
【図１５】空吐出の滴量と印刷したときの着弾位置のズレとの関係を示すグラフである。
【図１６】デキャップ時間と回復動作の関係を基づく制御を示すフローチャートである。
【図１７】デキャップ時間カウントに重み付けする係数について説明する図である。
【発明を実施するための形態】
【００１１】
以下、本発明に係る画像形成装置の実施の形態について図面に基づいて説明する。
図１は実施形態１に係る画像形成装置の一例を示す前方側からの斜視図である。この画像形成装置は、装置本体１と、装置本体１に装着された用紙を配置するための給紙トレイ２と、装置本体１に着脱自在に装着されて画像が記録（形成）された用紙をストックするための排紙トレイ３とを備えている。
【００１２】
さらに、装置本体１の前面の一端部側（給紙トレイ２および排紙トレイ３の側方）には、前面から装置本体１の前方側に突き出し、上面よりも低くなったインクカートリッジを配置するためのカートリッジ配置部４を備える。また、このカートリッジ配置部４の上面を操作ボタンや表示器などを設ける操作／表示部５としている。
【００１３】
このカートリッジ配置部４には、例えば黒、シアン、マゼンタ、イエローの各インクをそれぞれ収容した複数のカートリッジであるインクカートリッジ１０Ｋ、１０Ｃ、１０Ｍ、１０Ｙを、装置本体１の前面側から後方側に向かって挿入して配置可能としている。
【００１４】
また、このカートリッジ配置部４の前面側には、インクカートリッジ１０を着脱するときに開く前カバー（カートリッジカバー）６を開閉可能に設けている。なお、インクカートリッジ１０Ｋ、１０Ｃ、１０Ｍ、１０Ｙについては、色を区別しないときは「インクカートリッジ１０」という。
【００１５】
また、操作／表示部５には、各色のインクカートリッジ１０Ｋ、１０Ｃ、１０Ｍ、１０Ｙの残量がニアーエンドおよびエンドになったことを表示するための各色の残量表示部１１Ｋ、１１Ｃ、１１Ｍ、１１Ｙを配置している。この残量表示部１１Ｋ、１１Ｃ、１１Ｍ、１１Ｙは、各色のインクカートリッジ１０Ｋ、１０Ｃ、１０Ｍ、１０Ｙの装着位置（配置位置）に対応する位置に配置される。さらに、この操作／表示部５には、電源ボタン１２、用紙送り／印刷再開ボタン１３、キャンセルボタン１４を配置している。
【００１６】
次に、この画像形成装置の機構部について説明する。図２は実施形態１に係る画像形成装置の機構部の概略を示す断面図、図３は同画像形成装置の機構部の要部を示す平面図である。図示しない左右の側板間に架け渡したガイドロッド２１とステー２２とでキャリッジ２３を主走査方向に移動自在に保持する。キャリッジ２３は、主走査モータ２４によって駆動プーリ２５と従動プーリ２６間に架け渡したタイミングベルト２７を介して図３中の矢印で示した方向（キャリッジ走査方向：主走査方向）に移動走査される。
【００１７】
このキャリッジ２３には、イエロー（Ｙ）、シアン（Ｃ）、マゼンタ（Ｍ）、ブラック（Ｋ）の各色のインク滴を吐出する液滴吐出ヘッドである記録ヘッド３１Ｋ、３１Ｃ、３１Ｍ、３１Ｙを複数のインク吐出口を主走査方向と交差する方向に配列している。ここで、記録ヘッド３１Ｋ、３１Ｃ、３１Ｍ、３１Ｙは、インク滴吐出方向を下方に向けて装着している。なお、記録ヘッド３１Ｋ、３１Ｃ、３１Ｍ、３１Ｙについて、色を区別しないときは「記録ヘッド３１」という。
【００１８】
記録ヘッド３１は、インク滴を吐出するための圧力を発生する圧力発生手段を備える。圧力発生手段としては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを使用できる。
【００１９】
また、キャリッジ２３には、記録ヘッド３１に各色のインクを供給するための各色のサブタンク３２を搭載している。この各色のサブタンク３２には各色のインク供給チューブを介して、カートリッジ配置部４に装着された各色のインクカートリッジ１０から各色のインクが補充供給される。
【００２０】
一方、給紙トレイ２の用紙積載部（圧板）４１上には用紙４２が配置される。この用紙４２を給紙するための給紙部として、用紙積載部４１から用紙４２を１枚ずつ分離して搬送する半月コロ（給紙コロ）４３、分離パッド４４を備える。分離パッド４４は、給紙コロ４３に対向して配置され、摩擦係数の大きな材質からなり、給紙コロ４３側に押し付けられている。
【００２１】
そして、この給紙部から給紙された用紙４２を記録ヘッド３１の下方側に送り込むために、用紙４２を案内するガイド部材４５と、カウンターローラ４６と、搬送ガイド部材４７と、先端加圧コロ４９を有する押さえ部材４８とを備える。さらに、搬送された用紙４２を静電吸着して記録ヘッド３１に対向する位置で搬送するための搬送手段である搬送ベルト５１を備える。
【００２２】
搬送ベルト５１は、環状のベルトであり、搬送ローラ５２とテンションローラ５３との間に架け渡されて、ベルト搬送方向（副走査方向）に周回する。この搬送ベルト５１は、例えば、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏側層（中抵抗層、アース層）とを有している。
【００２３】
そして、この搬送ベルト５１の表面を帯電させるための帯電手段である帯電ローラ５６を備えている。帯電ローラ５６は、搬送ベルト５１の表層に接触し、搬送ベルト５１の回動に従動して回転するように配置され、加圧力として軸の両端に所定の押し付け力を掛けている。なお、搬送ローラ５２はアースローラの役目も担っており、搬送ベルト５１の中抵抗層（裏側層）と接触配置され接地している。
【００２４】
また、搬送ベルト５１の裏側には、記録ヘッド３１による印刷領域に対応してベルトガイド部材５７を配置している。このベルトガイド部材５７は、上面が搬送ベルト５１を支持する２つのローラ（搬送ローラ５２とテンションローラ５３）の接線よりも記録ヘッド３１側に突き出させることで搬送ベルト５１の高精度な平面性を維持するようにしている。
【００２５】
この搬送ベルト５１は、副走査モータ５８によって駆動ベルト５９およびプーリ６０を介して搬送ローラ５２が回転駆動されることによってベルト搬送方向（副走査方向：図３参照）に周回移動する。
【００２６】
さらに、記録ヘッド３１で記録された用紙４２を排紙するための排紙部として、搬送ベルト５１から用紙４２を分離するための分離爪６１と、排紙ローラ６２および排紙コロ６３とを備え、排紙ローラ６２の下方に排紙トレイ３を備えている。
【００２７】
また、装置本体１の背面部には両面ユニット７１が着脱自在に装着されている。この両面ユニット７１は搬送ベルト５１の逆方向回転で戻される用紙４２を取り込んで反転させて再度カウンターローラ４６と搬送ベルト５１との間に給紙する。また、この両面ユニット７１の上面は手差しトレイ７２としている。
【００２８】
さらに、図３に示すように、キャリッジ２３の走査方向一方側の非印字領域には、記録ヘッド３１のノズルの状態を維持し、回復するための回復手段を含む維持回復機構８１を配置している。
【００２９】
この維持回復機構８１には、記録ヘッド３１の各ノズル面をキャッピングするためのキャップ部材８２と、ノズル面をワイピングするためのブレード部材であるワイパーブレード８３と、粘度が増した記録液を排出するために記録に寄与しない液滴を吐出させる空吐出を行うときの液滴を受ける空吐出受け８４などを備えている。
【００３０】
また、キャリッジ２３の走査方向他方側の非印字領域には、記録中などに粘度が増した記録液を排出するために記録に寄与しない液滴を吐出させる空吐出を行うときの液滴を受ける空吐出受け８８を配置している。この空吐出受け８８には記録ヘッド３１のノズル列方向に沿った開口８９ａ〜８９ｄを設けている。
【００３１】
このように構成したインクジェット記録装置においては、給紙トレイ２から用紙４２が１枚ずつ分離給紙され、略鉛直上方に給紙された用紙４２はガイド部材４５で案内される。そして、搬送ベルト５１とカウンターローラ４６との間に挟まれて搬送され、さらに先端を搬送ガイド３７で案内されて先端加圧コロ４９で搬送ベルト５１に押し付けられ、略９０°搬送方向を転換される。
【００３２】
このとき、図示しない制御部によってＡＣバイアス供給部から帯電ローラ５６に対してプラス出力とマイナス出力とが交互に繰り返す。つまり交番する電圧が印加され、搬送ベルト５１が交番する帯電電圧パターン、すなわち、周回方向である副走査方向に、プラスとマイナスが所定の幅で帯状に交互に帯電されたものとなる。このプラス、マイナス交互に帯電した搬送ベルト５１上に用紙４２が搬送されると、用紙４２が搬送ベルト５１に吸着され、搬送ベルト５１の周回移動によって用紙４２が副走査方向に搬送される。
【００３３】
そこで、キャリッジ２３を移動させながら画像信号に応じて記録ヘッド３１を駆動することにより、停止している用紙４２にインク滴を吐出して１行分を記録し、用紙４２を所定量搬送後、次の行の記録を行う。記録終了信号または用紙４２の後端が記録領域に到達した信号を受けることにより、記録動作を終了して、用紙４２を排紙トレイ３に排紙する。
【００３４】
また、印字（記録）待機中にはキャリッジ２３は維持回復機構８１側に移動されて、キャップ部材８２で記録ヘッド３１がキャッピングされて、ノズルを湿潤状態に保つことによりインク乾燥による吐出不良を防止する。さらに、キャップ部材８２で記録ヘッド３１をキャッピングした状態で図示しない吸引ポンプによってノズルから記録液を吸引し（「ノズル吸引」または「ヘッド吸引」という。）し、粘度が増した記録液や気泡を排出する回復動作を行うことができる。
【００３５】
また、キャップ部材８２が記録ヘッド３１をデキャップした状態（キャッピングしていない状態）で吸引ポンプによってノズルから記録液を吸引し（「キャップ部材内吸引」という。）し、キャップ部材８２内のインクを排除することができる。
【００３６】
また、記録開始前、記録途中などに記録と関係しないインクを吐出する空吐出（一部の場合における吐出は「補充吐出」という。）動作を行う。これによって、記録ヘッド３１の安定した吐出性能を維持する。
【００３７】
空吐出実施箇所は、空吐出受け８４や空吐出受け８８に吐出しても良いし、キャップ部材８２内に吐出することも可能である。本文内で空吐出位置に関して特に記載していない箇所は、どちらに吐出しても構わないものとする。
【００３８】
空吐出の一部の場合における吐出、「補充吐出」について説明する。補充吐出とは、キャップ部材内吸収体乾燥防止目的のための動作であり、キャップ部材内の吸収体にインクを補充するために実行される動作のことである。補充吐出は、空吐出同様記録途中などに記録と関係しないインクを吐出する空吐出であり、キャップ部材内にインク滴を吐出することにより行われる。また、常にキャップ部材内吸引と共に実行されるものであり、１動作あたりの吐出量は空吐出数倍ないし数十倍程度以上とし、キャップ部材内吸収体内のインク乾燥を回復できる相当量の吐出量としている。補充吐出により、キャップ部材内吸収体内のインク乾燥状態を回復できる。
【００３９】
次に、維持回復機構８１の概要について説明する。図４は同画像形成装置の維持回復機構を示す説明図である。この維持回復機構８１には、前述したように、吸引および保湿用キャップ部材８２と、保湿用キャップ部材８２ｂを保持する保持機構を含むキャップ部材ホルダ２０１Ａと、保湿用キャップ部材８２ｃと保湿用キャップ部材８２ｄを保持する保持機構を含むキャップ部材ホルダ２０１Ｂと、記録ヘッド３１のノズル面を清浄化する（拭き取る）ための弾性体からなるブレードであるワイパーブレード８３を保持するブレードホルダ２０３と、記録ヘッド３１から印字に寄与しない液滴を吐出する空吐出動作（予備吐出動作）を行うための空吐出受け８４とが配置されている。
【００４０】
ここで、印字領域に最も近い側の吸引用および保湿用キャップ部材８２には可撓性チューブ２１０を介して吸引手段であるチュービングポンプ（吸引ポンプ）２１１を接続している。したがって、記録ヘッド３１の維持回復動作を行うときには、回復動作を行う記録ヘッド３１をキャップ部材８２によってキャッピング可能な位置に選択的に移動させる。
【００４１】
なお、この吸引用および保湿用キャップ部材８２には図示しないが内部に保湿部材を設けている。保湿をすることにより維持回復動作を行うときの後述する閾値を大きくして維持回復動作回数を低減でき、記録液の無駄な消費や回復動作にともなう印刷待機時間を短縮することができる。
【００４２】
また、これらのキャップ部材ホルダ２０１Ａ、２０１Ｂの下方にはフレーム２１２に回転自在に支持したカム軸２１３を配置している。このカム軸２１３には、キャップ部材ホルダ２０１Ａ、２０１Ｂを昇降させるためのキャップ部材カム２１４Ａ、２１４Ｂと、ブレードホルダ２０３を昇降させるためのワイパーカム２１５をそれぞれ設けている。
【００４３】
そして、チュービングポンプ２１１およびカム軸２１３を回転駆動するために、モータ２２１の回転をモータ軸２２１ａに設けたモータギア２２２に、チュービングポンプ２１１のポンプ軸２１１ａに設けたポンプギア２２３をかみ合わせている。さらに、このポンプギア２２３と一体の中間ギア２２４に中間ギア２２５を介して一方向クラッチ２２７付きの中間ギア２２６をかみ合わせ、この中間ギア２２６と同軸の中間ギア２２８に中間ギア２２９を介してカム軸２１３に固定したカムギア２３０をかみ合わせている。
【００４４】
この維持回復機構８１においては、モータ２２１が正転することによってモータギア２２２、中間ギア２２４、ポンプギア２２３、中間ギア２２５、２２６までが回転する。このチュービングポンプ２１１のポンプ軸２１１ａが回転することでチュービングポンプ２１１が作動して、キャップ部材８２内を吸引する。その他のギア２２８以降は一方向クラッチ２２７によって回転が遮断されるので回転（作動）しない。
【００４５】
また、モータ２２１が逆転することによって、一方向クラッチ２２７が連結されるので、モータ２２１の回転が、モータギア２２２、中間ギア２２４、ポンプギア２２３、中間ギア２２５、２２６、２２８、２２９を経てカムギア２３０に伝達され、カム軸２１３が回転する。
【００４６】
このとき、チュービングポンプ２１１はポンプ軸２１１ａの逆転では作動しない構造となっている。このカム軸２１３の回転によってキャップ部材カム２１４Ａ、２１４Ｂおよびワイパーカム２１５がそれぞれ所定のタイミングで上昇、下降する。
【００４７】
なお、記録ヘッド３１のノズル面を清掃するときにはワイパーブレード８３を上昇させた状態にして、記録ヘッド３１をワイパーブレード８３に相対的に移動させることによってノズル面をワイピングする。
【００４８】
この維持回復機構のように複数のキャップ部材を備えて、複数のキャップ部材のうちの少なくとも１つは吸引手段に連結（連通）されない保湿キャップ部材とすることによって、維持回復動作回数を低減することができる。これによって無駄な記録液の消費や回復動作に掛かる時間を短くすることができる。
【００４９】
また、吸引用のキャップ部材に対する記録ヘッドのみ維持回復動作を行うようにすることで過不足のない回復動作を行うことができる。さらに、記録ヘッドの数とキャップ部材の数を同じにすることによって維持回復機構のサイズを大きくすることがなく、部品点数の削減、装置の小型化を図れる。
【００５０】
なお、この画像形成装置に使用する記録液（インク）は、水分蒸発にともなう粘度上昇率（ｍＰａ・ｓ／％）がインク全重量に対する水分蒸発率３０％までは１．０以下であり、かつ、水分蒸発率３０〜４５％の間に粘度上昇率が５０を越える点を持つことである。そして、粘度上昇率が５０を越える点での、インク中の着色剤の平均粒子径が、初期平均粒子径の５倍以下であり、かつ０．８μｍ以下とすることが好ましい。
【００５１】
このような記録液を使用することによって、長期放置でもノズルの目詰まりを起こさず、普通紙上での高画質化および高速印字を達成できる。しかも、この記録液は、仮に、ノズル内の記録液が乾燥し粘度が増すことによりノズルから吐出できなくなったとしても、顔料などが粗大粒子化してノズル詰まりを発生するわけではないため、簡単な維持回復動作により容易に回復できるという利点を有している。
【００５２】
次に、実施形態１に係る画像形成装置の制御部の概要について説明する。図５は同制御部の全体ブロック説明図である。この制御部は、この画像形成装置全体を制御する。制御部は、初期動作に関する制御をする手段などを兼ねたマイクロコンピューターで構成した主制御部３０１および印刷制御をつかさどるマイクロコンピューターで構成した印刷制御部３０２を備えている。
【００５３】
そして、主制御部３０１は、通信回路３００から入力される印刷処理の情報に基づいて用紙４２に画像を形成する。このために、主制御部３０１は、主走査モータ２４や副走査モータ５８を主走査モータ駆動回路３０３および副走査モータ駆動回路３０４を介して駆動制御するとともに、印刷制御部３０２に対して印刷用データを送出するなどの制御を行う。
【００５４】
また、主制御部３０１には、キャリッジ２３の位置を検出するキャリッジ位置検出回路３０５からの検出信号が入力され、主制御部３０１はこの検出信号に基づいてキャリッジ２３の移動位置および移動速度を制御する。キャリッジ位置検出回路３０５は、例えばキャリッジ２３の走査方向に配置されたエンコーダシートのスリット数を、キャリッジ２３に搭載されたフォトセンサーで読み取って計数することで、キャリッジ２３の位置を検出する。
【００５５】
主走査モータ駆動回路３０３は、主制御部３０１から入力されるキャリッジ移動量に応じて主走査モータ２４を回転駆動させて、キャリッジ２３を所定の位置に所定の速度で移動させる。
【００５６】
また、主制御部３０１には搬送ベルト５１の移動量を検出する搬送量検出回路３０６からの検出信号が入力され、主制御部３０１はこの検出信号に基づいて搬送ベルト５１の移動量および移動速度を制御する。
【００５７】
搬送量検出回路３０６は、例えば搬送ローラ５２の回転軸に取り付けられた回転エンコーダシートのスリット数を、フォトセンサーで読み取って計数することで搬送量を検出する。副走査モータ駆動回路３０４は、主制御部３０１から入力される搬送量に応じて副走査モータ５８を回転駆動させて、搬送ローラ５２を回転駆動して搬送ベルト５１を所定の位置に所定の速度で移動させる。
【００５８】
主制御部３０１は、給紙コロ駆動回路３０７に給紙コロ駆動指令を与えることによって給紙コロ４３を１回転させる。主制御部３０１は、維持回復機構駆動用モータ駆動回路３０８を介して維持回復機構８１のモータ２２１を回転駆動することにより、前述したようにキャップ部材８２の昇降、ワイパーブレード８３の昇降、チュービングポンプ２１１の駆動などを行わせる。
【００５９】
主制御部３０１は、インク供給モータ駆動回路３１１を介して供給ユニットのポンプを駆動するためのインク供給モータを駆動制御し、カートリッジ配置部４に配置されたインクカートリッジ１０からサブタンク３２に対してインクを補充供給する。このとき、主制御部３０１には、サブタンク３２が満タン状態にあることを検知するサブタンク満タンセンサー３１２からの検知信号に基づいて補充供給を制御する。
【００６０】
また、主制御部３０１は、カートリッジ通信回路３１４を通じて、カートリッジ配置部４に装着された各インクカートリッジ１０に設けられる記憶手段であるカートリッジ不揮発性メモリ３１６に記憶されている情報を取り込む。そして、主制御部３０１は、所要の処理を行って、本体記憶手段である不揮発性メモリ（例えばＥＥＰＲＯＭ）３１５に格納保持する。
【００６１】
また、主制御部３０１には、環境温度、環境湿度を検知する環境センサ３１３からの検知信号が入力される。印刷制御部３０２は、主制御部３０１からの信号とキャリッジ位置検出回路３０５および搬送量検出回路３０６などからのキャリッジ位置や搬送量に基づいて、記録ヘッド３１の液滴を吐出させるための圧力発生手段を駆動するためのデータを生成する。このデータは、上述した画像データをシリアルデータでヘッド駆動回路３１０に転送される。
【００６２】
また主制御部３０１は、画像データの転送および転送の確定などに必要な転送クロックやラッチ信号、滴制御信号（マスク信号）などをヘッド駆動回路３１０に出力する。さらに主制御部３０１は、ＲＯＭに格納されている駆動信号のパターンデータをＤ／Ａ変換するＤ／Ａ変換器および電圧増幅器、電流増幅器等で構成される駆動波形生成部およびヘッドドライバーに与える駆動波形選択手段を含む。これにより、主制御部３０１は、１の駆動パルス（駆動信号）あるいは複数の駆動パルス（駆動信号）で構成される駆動波形を生成してヘッド駆動回路３１０に対して出力する。
【００６３】
ヘッド駆動回路３１０は、駆動信号を選択的に記録ヘッド３１の液滴を吐出させるエネルギーを発生する駆動素子（例えば前述したような圧電素子）に対して印加することで記録ヘッド３１を駆動する。この駆動信号は、シリアルに入力される記録ヘッド３１の１行分に相当する画像データに基づいて印刷制御部３０２から与えられる駆動波形を構成する。
【００６４】
このとき、駆動波形を構成する駆動パルスを選択することによって、例えば、大滴（大ドット）、中滴（中ドット）、小滴（小ドット）など、大きさの異なるドットを打ち分けることができる。
【００６５】
図６は記録ヘッド３１Ｋ、３１Ｃ、３１Ｍ、３１Ｙとキャップ部材８２を示す断面図で、（ａ）、（ｂ）は記録ヘッドが単数の場合、（ｃ）、（ｄ）は記録ヘッドが複数の場合である。
【００６６】
図６において、待機時に記録ヘッド３１のノズルを覆うキャップ部材８２はブラック用のキャップ４０８と、カラー用のキャップ４０９とが設けられ、ブラックとカラーをわけてキャップできるように構成されている。それぞれのキャップ４０８、４０９内部には水分を吸収して保持する吸収体４０１（ブラック用）と吸収体４０５（カラー用）とが設けられている。さらに、キャップ４０８、４０９はそれぞれ吸引口４０２（ブラック用）、４０４（カラー用）を備えており、吸引口４０２，４０４は図示していないポンプと選択的に接続されている。すなわち、吸引口４０２，４０４はポンプと弁等を介して接続され、吸引のオン・オフが弁等によって切り替えられる。なお、本実施形態において、ブラックが第１の色であり、ブラックノズル４１０Ｋを覆うキャップ４０８が第１のキャップ部材であり、他の色はカラーであり、キャップ４０９が他のキャップ部材である。また、符号４０３はブラックノズル４１０Ｋとカラーノズル４１０とを隔てる仕切り部である。
【００６７】
図６の（ａ）と（ｃ）はブラックインクを吸引したときのインクの移動を表し、図６の（ｂ）と（ｄ）は待機時の水分の移動を示している。待機時の吸収体４０１、４０５はその保持している水分が同キャップ内の記録ヘッド３１のノズル４１０にも移動することで当該ノズルを潤している。
【００６８】
ところで、吸収体４０１、４０５の水分はインクのキャップ内での空吐出によって補給される。また、使用した記録ヘッドが待機位置に戻るとき実施されるが、ユーザーの使用においてモノクロ印刷がメインの場合には、印刷に使用しないカラーインクの消費を抑えるため、カラーノズル４１０の空吐出は実施しない。その代わりに、ブラックノズル４１０Ｋから定期的に空吐出されるインクをブラック側の吸収体４０１とカラー側の吸収体４０５に打ち分けるようにしている。すなわち、記録ヘッド３１が待機位置に戻る途中で、ブラックノズル４１０Ｋがキャップ４０９を通過するとき、キャップ４０９内に図９の（ｂ）、（ｄ）に示す空吐出をする。そして、キャップ４０８に到着すると図９の（ａ）、（ｃ）に示す空吐出しており、空吐出をキャップ４０８、４０９のそれぞれにするように打ち分けている。この打ち分けによって、吸収体４０１、４０５は水分を保持し、キャップ４０８，４０９で覆われる時にノズルの水分を奪われないようにすることでブラックノズルだけでなく、カラーノズル内のインク増粘を抑制することができる。
【００６９】
図７は、インク吸引を伴う回復動作の実施する色判断フローチャートである。
図７において、まずユーザーがノズル吐出状態を確認する等により（ステップ１）、ユーザーからクリーニングの要求があったかが判断される（ステップ２）。クリーニングの要求が無ければそれで終了するが、要求があった場合には全色かが判断される（ステップ３）。要求が全色であれば、ステップ４の全色クリーニングを実施する。要求が全色でない場合にはステップ５のブラックのみかが判断され、ブラックのみならばステップ６のブラッククリーニングを実施し、カラーのみであればステップ７のカラークリーニングを実施する。
【００７０】
図８は、ブラッククリーニングにおけるインク吸引を伴う回復動作時の動作の流れを示すフローチャートである。
図８において、ブラッククリーニングが要求された場合（ステップ１Ａ）、ブラックノズル４１０Ｋをブラック側のキャップ４０８上に移動し、キャップ４０８でキャッピングする（ステップ２Ａ）。そして、図６の（ａ）、（ｃ）に示すように、ブラックノズル４１０Ｋのインクだけをブラックの吸引口４０２から吸引する（ステップ３Ａ）。なお、カラークリーニングの場合はカラーのインク吸時にはカラーノズル４１０のインクだけをカラーの吸引口４０４から吸引し、全色インク吸引時にはカラー吸引とブラック吸引の何れか一方から実施する。このとき、図示しないが、ブラックインク吸引時とカラーインク吸引時には各々の吸引口４０２、４０４につながった可撓性チューブ２１０の流路を解放/閉鎖することでインク吸引を切り替えている。
【００７１】
インク吸引後のブラック色のクリーニングでブラックノズルのみワイパーブレード８３で払拭し（ステップ４Ａ）、ブラックノズルをキャップ４０９上に移動する（ステップ５Ａ）。移動後、ブラックインクを空吐出し（ステップ６Ａ）、それによってカラー側の吸収体４０５も水分が補充されるので、カラーインクを消費しなくてもカラーノズル４１０の増粘を抑制することができる。空吐出後、キャップ４０９内に排出され溜まったインクはキャップ４０９を記録ヘッド３１から離した状態で吸引することで処理できる（ステップ７Ａ）。
【００７２】
なお、上記ステップ４Ａの払拭について、ブラッククリーニングの場合はブラックノズルのみワイパーブレード８３でノズル面を払拭する。また、、カラーノズル４１０もワイパーブレード８３で払拭する場合にはカラーノズル４１０にブラックインクが入り込むため、混色防止用にカラー色も払拭後の空吐出を実施する。逆にカラークリーニングでカラーノズル４１０のみ払拭する場合にはカラー色のみ払拭後の空吐出を実施し、ブラックノズルも払拭する場合には混色防止用にブラック色も払拭後の空吐出を実施する。
【００７３】
ところで、ブラックノズル列を図３に示すようにカラーノズル列よりも維持回復機構８１に近い位置側に配置する。そうすることで、画像形成装置の幅を広げることなく、ブラックノズルの吐出滴はブラック側の吸収体４０１へもカラー側の吸収体４０５へも吐出することが可能である。さらに、ブラックノズルの空吐出をカラー側の吸収体４０５側へ行う際には、キャリッジ２３の走査距離が短くなり、印刷速度を向上させることができため、印刷速度優先の印刷モード時にはカラー側の吸収体４０５側へ空吐出を実施する。
【００７４】
キャップ４０８，４０９内の吸収体４０１，４０５は、印刷とは無関係に乾燥を防止するための記録ヘッド３１からの空吐出を実施する。その空吐出された滴を利用して、吸収体４０１、４０５へ水分を補充し、待機時に吸収体４０１、４０５からノズル内のインクの水分が奪われないようにする。吸収体４０１、４０５への水分補充が空吐出滴で満足できないような場合には、次のようにインク吸引により吸収体４０１、４０５に十分な水分補充を行う。吸収体４０１、４０５への吐出量をカウントし、不揮発性メモリ３１５に記憶する。吐出量カウントは１滴の滴量にノズル数と滴数を乗じた量である。また、インクの吸引を含む回復動作実施後からキャップ部材８２でノズル面を覆っていない時間（以降デキャップ時間と呼ぶ）を累積してカウントし、吐出量カウントと同様に不揮発性メモリ３１５に記憶する。印刷中だけでなく、非印刷時のデキャップ時間も含み、一度キャッピングしてもカウントは保持され、再度デキャップ時にカウントが再開される。
【００７５】
図１０は、自動でインク吸引を実施する制御を示すフローチャートである。
図１０において、印刷命令が発せられると（ステップ１Ｂ）、印刷命令時にブラックノズルについて記憶した累積するデキャップ時間に対する吐出量カウントを計算する（ステップ２Ｂ）。その計算値に取得した温湿度条件を加味した後（ステップ３Ｂ）、計算値が所定量未満かを判断する（ステップ４Ｂ）。計算値が所定量未満である場合には、水分補充が必要であると判断して、ブラッククリーニングを実行する（ステップ５Ｂ）。このとき、ブラックインクの吸引によって吸収体４０１が十分に潤うのでキャップ４０８の吐出量カウントをリセットし（ステップ６Ｂ）、キャップ４０８の累積デキャップ時間をリセットする（ステップ７Ｂ）。
【００７６】
また、計算値が所定量以上であれば、ブラックノズル４１０Ｋはキャップ４０９上に移動して、キャップ内への空吐出を実行する（ステップ８Ｂ）。このとき、ブラックインクの空吐出によって吸収体４０５が潤うのでキャップ４０９の吐出量カウントをリセットし（ステップ９Ｂ）、キャップ４０９の累積デキャップ時間をリセットする（ステップ１０Ｂ）。
【００７７】
次に、印刷を開始し（ステップ１１Ｂ）、吸収体４０１，４０５への吐出量をカウントし（ステップ１２Ｂ）、キャップ４０８，４０９のデキャップ時間を累積カウントする（ステップ１３Ｂ）。なお、吐出量カウント及び累積デキャップ時間カウントはブラック用とカラー用の少なくとも２つを備えている。また、吐出量カウントには印刷前、印刷中、印刷後の全ての吐出を含み、累積デキャップ時間カウントは環境センサ３１３で検知する温湿度条件により温湿度係数を乗じた値であり、乾燥しやすい環境ほど係数が大きい。
【００７８】
印刷前と印刷中の空吐出は印刷速度が低下しないように、ブラックインクはブラック用の吸収体４０１内またはカラー用の吸収体４０５内へ、カラーインクはカラー用の吸収体４０５内へ吐出する。印刷後の空吐出は印刷速度に影響しないため、累積デキャップ時間カウントに対する吐出量カウントが少ないと判断される色の吸収体へ空吐出する。また、各空吐出は環境センサ３１３で検知する温湿度条件により吐出量が異なり、乾燥しやすい環境ほど吐出量が多い。
【００７９】
図１１は、ブラックインクの打ち分け制御を示すフローチャートである。
図１１において、モノクロ印刷命令が出て（ステップ１Ｃ）印刷が開始され（ステップ２Ｃ）、前回の空吐出から所定時間経過したかが判断される（ステップ３Ｃ）。所定時間経過していればブラックノズル４１０Ｋをキャップ４０８上に移動し（ステップ４Ｃ）、ブラックインクを空吐出する（ステップ５Ｃ）。空吐出後及びステップ３Ｃで所定時間経過していなかったときには、再び所定時間経過したかが判断される（ステップ６Ｃ）。この判断で、所定時間経過していれば、前回のブラックキャップ４０８への空吐出かが判断される（ステップ７Ｃ）。そして、前回がブラックキャップであればブラックノズル４１０Ｋをカラーのキャップ４０９上に移動し（ステップ８Ｃ）、キャップ４０９にブラックインクを空吐出する（ステップ９Ｃ）。また、前回がブラックキャップでなければブラックノズル４１０Ｋをブラックのキャップ４０８上に移動し（ステップ１０Ｃ）、キャップ４０８にブラックインクを空吐出する（ステップ１１Ｃ）。なお、ステップ６Ｃの判断で所定時間経過していなければ印刷は終了する（ステップ１２Ｃ）。
【００８０】
ところで、ノズルの目詰まりを防止するには印刷前の回復動作を実施することが有効であるが、印刷前の回復動作は画一的でなく、非印刷時のノズルの乾燥度合いに応じることがより好ましい。
【００８１】
そこで、ノズルの乾燥度合いに応じた空吐出時の動作フローを図１２に示す。
図１２において、印刷命令は発せられると（ステップ１Ｄ）、機内の温湿度値を環境センサ３１３にて取得する（ステップ２Ｄ）。次に、各色毎にノズルから吐出したインク滴の滴量カウントを開始し（ステップ３Ｄ）、印刷前の回復動作を実施後（ステップ４Ｄ）、印刷を開始する（ステップ５Ｄ）。
【００８２】
次に、前回の回復動作実施後から所定時間経過したかどうかを判断し（ステップ６Ｄ）、所定時間経過していたらまずブラック吐出量が所定量以上かどうか判断する（ステップ７Ｄ）。ブラックの滴量カウントが所定量以上であれば、カラーノズル４１０をキャップするキャップ４０９上にブラックノズル４１０Ｋを移動し（ステップ８Ｄ）、所定量未満であれば、ブラックノズルのキャップ４０８上に移動する（ステップ８Ｄ）。ブラックノズル４１０Ｋをキャップ４０８上に移動後、図１３（ａ）に示すように、移動したキャップ４０８内へブラックインクを空吐出する（ステップ１０Ｄ）。同様に、ブラックノズル４１０Ｋをキャップ４０９上に移動した場合には、図１３（ｂ）に示すように、カラーノズル４１０を覆うキャップ４０９内へブラックインクを空吐出する（ステップ１０Ｄ）。
【００８３】
カラーノズル４１０も同様に、カラー吐出量が所定量以上かどうか判断する（ステップ１１Ｄ）。カラーの滴量カウントが所定量以上であれば、ブラックノズルをキャップするキャップ４０８上にカラーノズル４１０の少なくとも１つが位置するように移動する（ステップ１２Ｄ）。また、所定量未満であれば、カラーノズルのキャップ４０９上に移動する（ステップ１３Ｄ）。カラーノズル４１０をキャップ４０８上に移動後、図１３（ｃ）に示すように、移動したキャップ４０９内へカラーインクを空吐出する（ステップ１４Ｄ）。同様に、カラーノズル４１０をキャップ４０８上に移動した場合には、図１３（ｄ）に示すように、ブラックノズルを覆うキャップ４０８内へカラーインクを空吐出する（ステップ１４Ｄ）。
【００８４】
そして、カラーインク吐出後及びステップ６Ｄの前回の回復動作実施後から所定時間経過していない時には印刷を継続し（ステップ１５Ｄ）、その後印刷が終了かを判断する（ステップ１６Ｄ）。印刷が終わっていない時は再びステップ６Ｄにもどる。
【００８５】
このように、ノズルの乾燥度合いに応じて空吐出するが、具体的には印刷デューティーの高い印刷物を印刷する場合、ノズル内の乾燥度合いは小さい。そのため、乾燥度合いの大きいノズルの方のキャップ部材内へ多く空吐出することで、キャップ部材内の湿度を高め、キャップ部材で覆った後のノズルからの水分移動をできるだけ抑制しようとするものである。
【００８６】
図１４は、デキャップ時間と印刷したときの着弾位置のズレとの関係を示すグラフである。同図から明らかなように、累積デキャップ時間が長くなるほど着弾位置ズレ量が増加しているのが分かる。これはデキャップによってキャップ部材８２内の湿度は低下し、その状態で記録ヘッド３１をキャップ部材８２で覆うため、ノズル内の水分がキャップ内に奪われ、ノズル内の乾燥が進むことに起因している。なお、ブラック色とカラー色で累積デキャップ時間に対する乾燥度合いが異なり、カラー色は乾燥が進みにくい。ブラックよりもカラーの滴量カウントの閾値を小さくすることで、カラーの方が先に滴量カウント閾値を越えやすく、カラーの空吐出がブラックのキャップ部材内へ実施され、ブラックのキャップ部材内の湿度は高く保ちやすくなる。
【００８７】
図１５は、空吐出の滴量と印刷したときの着弾位置のズレとの関係を示すグラフである。デキャップ時間中にキャップ部材８２内に印刷に寄与しない滴を定期的に吐出する際の吐出滴量と、所定時間キャップでヘッドを覆った後に印刷を行った際の着弾位置ズレ量との関係は、吸引キャップ８２内への吐出滴量が多いほど着弾位置ズレ量が少ない。キャップ部材８２内への空吐出滴量が多いと、キャップ部材８２内の吸収体４０１、４０５に水分を保持しやすくなり、キャップ部材８２内の湿度が高く保持できる。
【００８８】
図１６は、デキャップ時間と回復動作の関係を基づく制御を示すフローチャートである。
図１６において、印刷命令は発せられると（ステップ１Ｅ）、機内の温湿度値を環境センサ３１３にて取得する（ステップ２Ｅ）。次に、全キャップのデキャップ時間カウントを取得し（ステップ３Ｅ）、その値に応じて各色の吐出量カウント閾値を設定する（ステップ４Ｅ）。さらに、累積デキャップ時間をカウントし（ステップ５Ｅ）、各色毎にノズルから吐出したインク滴の滴量カウントを開始する（ステップ６Ｅ）。そして、印刷前の回復動作を実施後（ステップ７Ｅ）、印刷を開始する（ステップ８Ｅ）。
【００８９】
次に、前回の回復動作実施後から所定時間経過したかどうかを判断し（ステップ９Ｅ）、所定時間経過していたら、まずブラック吐出量が閾値を越えたかを判断する（ステップ１０Ｅ）。ブラックの滴量カウントが閾値以上であれば、カラーノズル４１０をキャップするキャップ４０９上にブラックノズル４１０Ｋを移動し（ステップ１１Ｅ）、閾値未満であれば、ブラックノズルのキャップ４０８上に移動する（ステップ１２Ｅ）。ブラックノズルをキャップ４０８か４０９の何れかに移動後、移動したキャップ内へブラックインクを空吐出する（ステップ１３Ｅ）。
【００９０】
カラーノズル４１０も同様に、カラー吐出量が閾値を越えたかを判断する（ステップ１４Ｅ）。カラーの滴量カウントが閾値以上であれば、ブラックノズルをキャップするキャップ４０８上にカラーノズル４１０を移動し（ステップ１５Ｅ）、所定量未満であれば、カラーノズル４１０のキャップ４０９上に移動する（ステップ１６Ｅ）。カラーノズルをキャップ４０８か４０９の何れかに移動後、移動したキャップ内へカラーインクを空吐出する（ステップ１７Ｅ）。
【００９１】
そして、カラーインク吐出後及びステップ９Ｅの前回の回復動作実施後から所定時間経過していない時には印刷を継続し（ステップ１８Ｅ）、その後印刷が終了かを判断する（ステップ１９Ｅ）。印刷が終わっていない時は再びステップ９Ｅにもどる。ステップ２０Ｅの印刷が終了に至ったら、累積デキャップ時間カウントを不揮発性メモリ３１５に記憶し、格納する（ステップ２１Ｅ）。
【００９２】
図１７は、デキャップ時間カウントに重み付けする係数について説明する図である。
図はキャップオープン時間カウントに乗じる温湿度環境毎に重み付けされた係数であり、乾燥しやすい低湿度環境ほど係数が大きく、キャップオープン時間カウントが早く進む。逆に乾燥しにくい高湿度環境では係数が小さく、キャップオープン時間カウントの進みが遅い。
【００９３】
環境毎に重み付けすることでキャップオープン時のキャップ内の乾燥度合いを適正に計測でき、より乾燥しやすいキャップ側に空吐出することで、インク消費量を最小限に吐出性を正常に維持することができる。
【符号の説明】
【００９４】
３１  記録ヘッド
８１  維持回復機構
８２  キャップ部材
４０１、４０５  吸収体
４０８、４０９  キャップ
４１０  カラーノズル
４１０Ｋ  ブラックノズル
【先行技術文献】
【特許文献】
【００９５】
【特許文献１】特許第３８９１２３５号公報
【図１】
2015089640.tif 000003
【図２】
2015089640.tif 000004
【図３】
2015089640.tif 000005
【図４】
2015089640.tif 000006
【図５】
2015089640.tif 000007
【図６】
2015089640.tif 000008
【図７】
2015089640.tif 000009
【図８】
2015089640.tif 000010
【図９】
2015089640.tif 000011
【図１０】
2015089640.tif 000012
【図１１】
2015089640.tif 000013
【図１２】
2015089640.tif 000014
【図１３】
2015089640.tif 000015
【図１４】
2015089640.tif 000016
【図１５】
2015089640.tif 000017
【図１６】
2015089640.tif 000018
【図１７】
2015089640.tif 000019